(57)【特許請求の範囲】
【請求項１】
開口部を親扉体と子扉体で開閉する開閉装置であって、
前記子扉体に回動自在な係止棒部材を昇降可能に配置し、固定側（床面側）に設けた係止穴に該係止棒部材の落とし込みによって前記子扉体を固定するフランス落としであり、
前記係止棒部材は、断面が円で、先端部に断面Ｌ字形状の切欠部が形成され、
前記断面Ｌ字形状の切欠部の面は、前記係止棒部材の長手方向に平行な第１の面と、
前記係止棒部材の長手方向に直交で、前記第１の面に直角な第２の面とを有し、
前記係止穴は、前記子扉体の固定時の前記子扉体の内壁面と平行な第３の面を有し、
前記係止棒部材の落とし込みによって前記第１の面を前記係止穴内に位置させ、前記係止棒部材の回動により、前記係止棒部材の断面円の外周を前記係止穴の内壁に当接させ、前記係止棒部材のさらなる回動により、前記子扉体を前記係止穴の側へ移動させ、前記子扉体に設けたパッキンを前記開口部の縁部に押し当て、前記パッキンをつぶし変形させて前記子扉体を開口部の縁部に密着させるか、
又は、
前記係止棒部材の落とし込みによって前記係止棒部材の断面円の外周を前記係止穴の内壁に当接しながら前記第１の面を前記係止穴内に位置させ、その後、前記係止棒部材の回動により、前記子扉体を前記係止穴の側へ移動させ、前記子扉体に設けた前記パッキンを前記開口部の縁部に押し当て、前記パッキンをつぶし変形させて前記子扉体を前記開口部の縁部に密着させる
ことを特徴とする開閉装置。
【請求項２】
開口部を親扉体と子扉体で開閉する開閉装置の開閉方法であって、
前記子扉体に回動自在な係止棒部材を昇降可能に配置し、固定側（床面側）に設けた係止穴に該係止棒部材の落とし込みによって前記子扉体を固定するフランス落としであり、
前記係止棒部材は、断面が円で、先端部に断面Ｌ字形状の切欠部が形成され、
前記断面Ｌ字形状の切欠部の面は、前記係止棒部材の長手方向に平行な第１の面と、
前記係止棒部材の長手方向に直交で、前記第１の面に直角な第２の面とを有し、
前記係止穴は、前記子扉体の固定時の前記子扉体の内壁面と平行な第３の面を有し、
前記係止棒部材の落とし込みによって前記第１の面を前記係止穴内に位置させ、前記係止棒部材の回動により、前記係止棒部材の断面円の外周を前記係止穴の内壁に当接させ、前記係止棒部材のさらなる回動により、前記子扉体を前記係止穴の側へ移動させ、前記子扉体に設けたパッキンを前記開口部の縁部に押し当て、前記パッキンをつぶし変形させて前記子扉体を開口部の縁部に密着させるか、
又は、
前記係止棒部材の落とし込みによって前記係止棒部材の断面円の外周を前記係止穴の内壁に当接しながら前記第１の面を前記係止穴内に位置させ、その後、前記係止棒部材の回動により、前記子扉体を前記係止穴の側へ移動させ、前記子扉体に設けた前記パッキンを前記開口部の縁部に押し当て、前記パッキンをつぶし変形させて前記子扉体を前記開口部の縁部に密着させる
ことを特徴とする開閉装置の開閉方法。
【請求項３】
扉体に回動自在な係止棒部材を昇降可能に配置し、固定側（床面側）に設けた係止穴に該係止棒部材の落とし込みによって扉を固定するフランス落としにおいて、
前記係止棒部材は、断面が円で、先端部に断面Ｌ字形状の切欠部が形成され、
前記断面Ｌ字形状の切欠部の面は、前記係止棒部材の長手方向に平行な第１の面と、
前記係止棒部材の長手方向に直交で、前記第１の面に直角な第２の面とを有し、
前記係止穴は、前記扉体の固定時の前記扉体の内壁面と平行な第３の面を有し、
前記係止棒部材の落とし込みによって前記第１の面を前記係止穴内に位置させ、前記係止棒部材の回動により、前記係止棒部材の断面円の外周を前記係止穴の内壁に当接させ、前記係止棒部材のさらなる回動により、前記扉体を前記係止穴の側へ移動させ、前記扉体に設けたパッキンを前記開口部の縁部に押し当て、前記パッキンをつぶし変形させて前記扉体を開口部の縁部に密着させるか、
又は、
前記係止棒部材の落とし込みによって前記係止棒部材の断面円の外周を前記係止穴の内壁に当接しながら前記第１の面を前記係止穴内に位置させ、その後、前記係止棒部材の回動により、前記扉体を前記係止穴の側へ移動させ、前記扉体に設けた前記パッキンを前記開口部の縁部に押し当て、前記パッキンをつぶし変形させて前記扉体を前記開口部の縁部に密着させる
ことを特徴とするフランス落とし。
【請求項４】
扉体に回動自在な係止棒部材を昇降可能に配置し、固定側（床面側）に設けた係止穴に該係止棒部材の落とし込みによって扉を固定するフランス落としの固定方法において、
前記係止棒部材は、断面が円で、先端部に断面Ｌ字形状の切欠部が形成され、
前記断面Ｌ字形状の切欠部の面は、前記係止棒部材の長手方向に平行な第１の面と、
前記係止棒部材の長手方向に直交で、前記第１の面に直角な第２の面とを有し、
前記係止穴は、前記扉体の固定時の前記扉体の内壁面と平行な第３の面を有し、
前記係止棒部材の落とし込みによって前記第１の面を前記係止穴内に位置させ、前記係止棒部材の回動により、前記係止棒部材の断面円の外周を前記係止穴の内壁に当接させ、前記係止棒部材のさらなる回動により、前記扉体を前記係止穴の側へ移動させ、前記扉体に設けたパッキンを前記開口部の縁部に押し当て、前記パッキンをつぶし変形させて前記扉体を開口部の縁部に密着させるか、
又は、
前記係止棒部材の落とし込みによって前記係止棒部材の断面円の外周を前記係止穴の内壁に当接しながら前記第１の面を前記係止穴内に位置させ、その後、前記係止棒部材の回動により、前記扉体を前記係止穴の側へ移動させ、前記扉体に設けた前記パッキンを前記開口部の縁部に押し当て、前記パッキンをつぶし変形させて前記扉体を前記開口部の縁部に密着させる
ことを特徴とするフランス落としの固定方法。
【発明の詳細な説明】
【技術分野】
【０００１】
本発明は、開閉装置、開閉装置の開閉方法、フランス落とし及びフランス落としの固定方法に係り、特に、機密性の高いものに適用できる開閉装置、開閉装置の開閉方法、フランス落とし及びフランス落としの固定方法に関する。
【背景技術】
【０００２】
親子ドアの子扉を固定するフランス落としがある（特許文献１ ）。このフランス落としにあっては、ロット棒の先端部の断面とほぼ同様形状の嵌合凹所を有する固定部材を軟質弾性材で形成して、この固定部材を係合壷に嵌入し、ロッド棒の先端を係合壷に固定部材を介して着脱自在に対向させてなるものである。
【先行技術文献】
【特許文献】
【０００３】
【特許文献１】実公昭５１−２８１５１号公報
【発明の概要】
【発明が解決しようとする課題】
【０００４】
ところが、上記フランス落としにあっては、親扉と子扉との密着性については配慮されているものの、子扉と開口部の縁部との密着性については配慮されておらず、機密性の高いものには適用できないという問題点があった。
【０００５】
本発明は、上記の問題点を考慮してなされた開閉装置、開閉装置の開閉方法、フランス落とし及びフランス落としの固定方法を提供することを目的とする。
【課題を解決するための手段】
【０００６】
請求項１記載の開閉装置は、開口部を親扉体と子扉体で開閉する開閉装置であって、前記子扉体に回動自在な係止棒部材を昇降可能に配置し、固定側（床面側）に設けた係止穴に該係止棒部材の落とし込みによって前記子扉体を固定するフランス落としであり、前記係止棒部材は、断面が円で、先端部に断面Ｌ字形状の切欠部が形成され、前記断面Ｌ字形状の切欠部の面は、前記係止棒部材の長手方向に平行な第１の面と、前記係止棒部材の長手方向に直交で、前記第１の面に直角な第２の面とを有し、前記係止穴は、前記子扉体の固定時の前記子扉体の内壁面と平行な第３の面を有し、前記係止棒部材の落とし込みによって前記第１の面を前記係止穴内に位置させ、前記係止棒部材の回動により、前記係止棒部材の断面円の外周を前記係止穴の内壁に当接させ、前記係止棒部材のさらなる回動により、前記子扉体を前記係止穴の側へ移動させ、前記子扉体に設けたパッキンを前記開口部の縁部に押し当て、前記パッキンをつぶし変形させて前記子扉体を開口部の縁部に密着させるか、又は、前記係止棒部材の落とし込みによって前記係止棒部材の断面円の外周を前記係止穴の内壁に当接しながら前記第１の面を前記係止穴内に位置させ、その後、前記係止棒部材の回動により、前記子扉体を前記係止穴の側へ移動させ、前記子扉体に設けた前記パッキンを前記開口部の縁部に押し当て、前記パッキンをつぶし変形させて前記子扉体を前記開口部の縁部に密着させるものである。
【０００７】
また、請求項２記載の開閉装置の開閉方法は、開口部を親扉体と子扉体で開閉する開閉装置の開閉方法であって、前記子扉体に回動自在な係止棒部材を昇降可能に配置し、固定側（床面側）に設けた係止穴に該係止棒部材の落とし込みによって前記子扉体を固定するフランス落としであり、前記係止棒部材は、断面が円で、先端部に断面Ｌ字形状の切欠部が形成され、前記断面Ｌ字形状の切欠部の面は、前記係止棒部材の長手方向に平行な第１の面と、前記係止棒部材の長手方向に直交で、前記第１の面に直角な第２の面とを有し、前記係止穴は、前記子扉体の固定時の前記子扉体の内壁面と平行な第３の面を有し、前記係止棒部材の落とし込みによって前記第１の面を前記係止穴内に位置させ、前記係止棒部材の回動により、前記係止棒部材の断面円の外周を前記係止穴の内壁に当接させ、前記係止棒部材のさらなる回動により、前記子扉体を前記係止穴の側へ移動させ、前記子扉体に設けたパッキンを前記開口部の縁部に押し当て、前記パッキンをつぶし変形させて前記子扉体を開口部の縁部に密着させるか、又は、前記係止棒部材の落とし込みによって前記係止棒部材の断面円の外周を前記係止穴の内壁に当接しながら前記第１の面を前記係止穴内に位置させ、その後、前記係止棒部材の回動により、前記子扉体を前記係止穴の側へ移動させ、前記子扉体に設けた前記パッキンを前記開口部の縁部に押し当て、前記パッキンをつぶし変形させて前記子扉体を前記開口部の縁部に密着させるものである。
【０００８】
また、請求項３記載のフランス落としは、扉体に回動自在な係止棒部材を昇降可能に配置し、固定側（床面側）に設けた係止穴に該係止棒部材の落とし込みによって扉を固定するフランス落としにおいて、前記係止棒部材は、断面が円で、先端部に断面Ｌ字形状の切欠部が形成され、前記断面Ｌ字形状の切欠部の面は、前記係止棒部材の長手方向に平行な第１の面と、前記係止棒部材の長手方向に直交で、前記第１の面に直角な第２の面とを有し、前記係止穴は、前記扉体の固定時の前記扉体の内壁面と平行な第３の面を有し、前記係止棒部材の落とし込みによって前記第１の面を前記係止穴内に位置させ、前記係止棒部材の回動により、前記係止棒部材の断面円の外周を前記係止穴の内壁に当接させ、前記係止棒部材のさらなる回動により、前記扉体を前記係止穴の側へ移動させ、前記扉体に設けたパッキンを前記開口部の縁部に押し当て、前記パッキンをつぶし変形させて前記扉体を開口部の縁部に密着させるか、又は、前記係止棒部材の落とし込みによって前記係止棒部材の断面円の外周を前記係止穴の内壁に当接しながら前記第１の面を前記係止穴内に位置させ、その後、前記係止棒部材の回動により、前記扉体を前記係止穴の側へ移動させ、前記扉体に設けた前記パッキンを前記開口部の縁部に押し当て、前記パッキンをつぶし変形させて前記扉体を前記開口部の縁部に密着させるものである。
【０００９】
また、請求項４記載のフランス落としの固定方法は、扉体に回動自在な係止棒部材を昇降可能に配置し、固定側（床面側）に設けた係止穴に該係止棒部材の落とし込みによって扉を固定するフランス落としの固定方法において、前記係止棒部材は、断面が円で、先端部に断面Ｌ字形状の切欠部が形成され、前記断面Ｌ字形状の切欠部の面は、前記係止棒部材の長手方向に平行な第１の面と、前記係止棒部材の長手方向に直交で、前記第１の面に直角な第２の面とを有し、前記係止穴は、前記扉体の固定時の前記扉体の内壁面と平行な第３の面を有し、前記係止棒部材の落とし込みによって前記第１の面を前記係止穴内に位置させ、前記係止棒部材の回動により、前記係止棒部材の断面円の外周を前記係止穴の内壁に当接させ、前記係止棒部材のさらなる回動により、前記扉体を前記係止穴の側へ移動させ、前記扉体に設けたパッキンを前記開口部の縁部に押し当て、前記パッキンをつぶし変形させて前記扉体を開口部の縁部に密着させるか、又は、前記係止棒部材の落とし込みによって前記係止棒部材の断面円の外周を前記係止穴の内壁に当接しながら前記第１の面を前記係止穴内に位置させ、その後、前記係止棒部材の回動により、前記扉体を前記係止穴の側へ移動させ、前記扉体に設けた前記パッキンを前記開口部の縁部に押し当て、前記パッキンをつぶし変形させて前記扉体を前記開口部の縁部に密着させるものである。
【発明の効果】
【００１０】
請求項１記載の開閉装置によれば、係止棒部材は、断面が円で、先端部に断面Ｌ字形状の切欠部が形成されているため、先端部が断面円のものに比べ、係止棒部材の係止穴への落とし込みがスムーズであり、
しかも、係止棒部材の落とし込みによって第１の面を係止穴内に位置させ、係止棒部材の回動により、係止棒部材の断面円の外周を係止穴の内壁に当接させ、係止棒部材のさらなる回動により、子扉体を係止穴の側へ移動させ、子扉体に設けたパッキンを開口部の縁部に押し当て、パッキンをつぶし変形させて子扉体を開口部の縁部に密着させることができる（又は、係止棒部材の落とし込みによって係止棒部材の断面円の外周を係止穴の内壁に当接しながら第１の面を係止穴内に位置させ、その後、係止棒部材の回動により、子扉体を係止穴の側へ移動させ、子扉体に設けたパッキンを開口部の縁部に押し当て、パッキンをつぶし変形させて子扉体開口部の縁部に密着させることができる。）。
【００１１】
また、請求項２記載の開閉装置の開閉方法によれば、係止棒部材は、断面が円で、先端部に断面Ｌ字形状の切欠部が形成されているため、先端部が断面円のものに比べ、係止棒部材の係止穴への落とし込みがスムーズであり、
しかも、係止棒部材の落とし込みによって第１の面を係止穴内に位置させ、係止棒部材の回動により、係止棒部材の断面円の外周を係止穴の内壁に当接させ、係止棒部材のさらなる回動により、子扉体を係止穴の側へ移動させ、子扉体に設けたパッキンを開口部の縁部に押し当て、パッキンをつぶし変形させて子扉体を開口部の縁部に密着させることができる（又は、係止棒部材の落とし込みによって係止棒部材の断面円の外周を係止穴の内壁に当接しながら第１の面を係止穴内に位置させ、その後、係止棒部材の回動により、子扉体を係止穴の側へ移動させ、子扉体に設けたパッキンを開口部の縁部に押し当て、パッキンをつぶし変形させて子扉体開口部の縁部に密着させることができる。）。
【００１２】
また、請求項３記載のフランス落としによれば、係止棒部材は、断面が円で、先端部に断面Ｌ字形状の切欠部が形成されているため、先端部が断面円のものに比べ、係止棒部材の係止穴への落とし込みがスムーズであり、
しかも、係止棒部材の落とし込みによって第１の面を係止穴内に位置させ、係止棒部材の回動により、係止棒部材の断面円の外周を係止穴の内壁に当接させ、係止棒部材のさらなる回動により、扉体を係止穴の側へ移動させ、扉体に設けたパッキンを開口部の縁部に押し当て、パッキンをつぶし変形させて扉体を開口部の縁部に密着させることができる（又は、係止棒部材の落とし込みによって係止棒部材の断面円の外周を係止穴の内壁に当接しながら第１の面を係止穴内に位置させ、その後、係止棒部材の回動により、扉体を係止穴の側へ移動させ、扉体に設けたパッキンを開口部の縁部に押し当て、パッキンをつぶし変形させて扉体の開口部の縁部に密着させることができる。）。
【００１３】
また、請求項４記載のフランス落としの固定方法によれば、係止棒部材は、断面が円で、先端部に断面Ｌ字形状の切欠部が形成されているため、先端部が断面円のものに比べ、係止棒部材の係止穴への落とし込みがスムーズであり、
しかも、係止棒部材の落とし込みによって第１の面を係止穴内に位置させ、係止棒部材の回動により、係止棒部材の断面円の外周を係止穴の内壁に当接させ、係止棒部材のさらなる回動により、扉体を係止穴の側へ移動させ、扉体に設けたパッキンを開口部の縁部に押し当て、パッキンをつぶし変形させて扉体を開口部の縁部に密着させることができる（又は、係止棒部材の落とし込みによって係止棒部材の断面円の外周を係止穴の内壁に当接しながら第１の面を係止穴内に位置させ、その後、係止棒部材の回動により、扉体を係止穴の側へ移動させ、扉体に設けたパッキンを開口部の縁部に押し当て、パッキンをつぶし変形させて扉体の開口部の縁部に密着させることができる。）。
【図面の簡単な説明】
【００１４】
【図１】図１は、本発明の一実施例の開閉装置の概略的正面図である。
【図２】図２は、図１の概略的平面図である。
【図３】図３は、図１の要部の概略的断面図で、固定前の状態を示している。
【図４】図４は、図３の係止棒部材を下げた状態を示す概略的断面図である。
【図５】図５は、図４の係止棒部材を回動してロック完了した状態を示す概略的断面図である。
【図６】図６は、図３の係止棒部材の先端部と係止穴との関係を示す概略的平面図である。
【図７】図７は、図４の係止棒部材の先端部と係止穴との関係を示す概略的平面図である。
【図８】図８は、図５の係止棒部材の先端部と係止穴との関係を示す概略的平面図である。
【図９】図９は、図３の係止穴の概略的平面図である。
【図１０】図１０は、図１のフランス落としの実施品を撮影した写真である。
【図１１】図１１は、図１のフランス落としの実施品で、図４に対応する状態を撮影した写真である。
【図１２】図１２は、図１のフランス落としの実施品で、図１１の左側面側から撮影した写真である。
【図１３】図１３は、図１のフランス落としの実施品で、図５に対応する状態を撮影した写真である。
【図１４】図１４は、図１のフランス落としの実施品で、図１３の左側面側から撮影した写真である。
【図１５】図１５は、図１のフランス落としの実施品で、図１０の係止棒部材の先端部に係止する係止穴を撮影した写真である。
【発明を実施するための形態】
【００１５】
本発明の一実施例の開閉装置、開閉装置の開閉方法、フランス落とし及びフランス落としの固定方法を図面（図１乃至図１５）を参照して説明する。
【００１６】
図１に示すＫは開閉装置で、開閉装置Ｋは、開口部１（図２）を親扉体２と子扉体３で開閉するものである。
図３に示す４は、扉体（例えば、子扉体３）を固定するフランス落としで、フランス落とし４が、取り付け金具５を介して、ネジ等で子扉体３の表面に取り付けられている。
【００１７】
取り付け金具５には、子扉体３に回動自在な係止棒部材６を昇降可能に配置されている。フランス落とし４は、固定側（床面側）に設けた係止穴７に係止棒部材６の落とし込みによって子扉体３を固定するものである。
【００１８】
取り付け金具５には、係止棒部材６を昇降可能に案内する第１のガイド部５１、第２のガイド部５２を有し、第１のガイド部５１には、係止棒部材６の握り棒６１を係止させる第１のストッパー部Ｓ１と第２のストッパー部Ｓ２とを備えている。
【００１９】
また、係止棒部材６の外周であって、第１のストッパー部Ｓ１と第２のストッパー部Ｓ２との間にスプリング６２が設けられ、スプリング６２は、係止棒部材６に取り付けられたピン６３と第２のストッパー部Ｓ２との間に位置している。
フランス落とし４を使用しないときには、握り棒６１が第１のストッパー部Ｓ１に係止（図３及び図１０）し、フランス落とし４を使用したきには、握り棒６１が第２のストッパー部Ｓ２に係止（図５、図１３及び図１４）するようになっている。
【００２０】
係止棒部材６は、断面が円で、先端部に断面Ｌ字形状の切欠部６３が形成されている。前記断面Ｌ字形状の切欠部６３の面は、係止棒部材６の長手方向に平行な第１の面Ｘと、係止棒部材６の長手方向に直交で、第１の面Ｘに直角な第２の面Ｙとを有している。
係止穴７は、子扉体３の固定時の子扉体３の内壁面３１と平行な第３の面７１を有している。
そして、図３乃至図８に示すように、係止棒部材６の落とし込みによって第１の面Ｘを係止穴７内に位置させ（図７）、係止棒部材６を回動させて、係止棒部材６の断面円の外周を係止穴７の内壁に当接させ、係止棒部材６のさらなる回動により、子扉体３を係止穴７の側へ移動（本実施例では、３ｍｍ程度移動）させ、子扉体３に設けたパッキンＰを開口部１ａの縁部に押し当て、パッキンＰをつぶし変形させて子扉体３を開口部１の縁部１ａに密着させることができる。
【００２１】
なお、本実施例では、フランス落とし４を子扉体３に設けたが、本願発明にあっては、これに限らず、フランス落とし４を親扉体２に設けても良いし、また、観音扉でない単一の扉体にも同様に適用することができる。
【００２２】
従って、上述した開閉装置Ｋ（開閉装置の開閉方法、フランス落とし及びフランス落としの固定方法）によれば、係止棒部材６は、断面が円で、先端部に断面Ｌ字形状の切欠部６３が形成されているため、先端部が断面円のものに比べ、係止棒部材６の係止穴７への落とし込みがスムーズであり（図３及び図４）、しかも、係止棒部材６の落とし込みによって第１の面Ｘを係止穴７内に位置させ（図４及び図６）、係止棒部材６の回動により、係止棒部材６の断面円の外周を係止穴７の内壁に当接させ（図７）、係止棒部材６のさらなる回動により、扉体（例えば、子扉体３）を係止穴７の側へ移動（本実施例では、３ｍｍ程度移動）させ、扉体（例えば、子扉体３）に設けたパッキンＰを開口部１ａの縁部に押し当て、パッキンＰをつぶし変形させて扉体（例えば、子扉体３）を開口部１ａの縁部に密着させることができる（図５及び図８）。図５及び図８においては、係止棒部材６の断面円の外周は係止穴７の内壁（第３の面７１）に当接している。 
なお、本実施例にあっては、係止棒部材６の落とし込みによって第１の面Ｘを係止穴７内に位置させ（図４及び図６）、係止棒部材６の回動により、係止棒部材６の断面円の外周を係止穴７の内壁に当接させ（図７）るようにしたが、
本願発明は、これに限らず、係止棒部材６の落とし込みによって係止棒部材６の断面円の外周を係止穴７の内壁に当接しながら第１の面Ｘを係止穴７内に位置させ、その後、係止棒部材６の回動により、扉体（例えば、子扉体３）を係止穴７の側へ移動させ、扉体（例えば、子扉体３）に設けたパッキンＰを開口部１ａの縁部に押し当て、パッキンＰをつぶし変形させて扉体（例えば、子扉体３）を開口部１ａの縁部に密着させるようにしても良い。
【符号の説明】
【００２３】
Ｋ      開閉装置
Ｐ      パッキン
Ｘ      第１の面
Ｙ      第２の面
１      開口部
１ａ    縁部
２      親扉体
３      子扉体
４      フランス落とし
６      係止棒部材
６３    切欠部
７      係止穴
７１    第３の面
【要約】      （修正有）【課題】機密性の高いものに適用できる開閉装置を提供する。【解決手段】開閉装置は、子扉体３に回動自在な係止棒部材６を昇降可能に配置し、固定側（床面側）に設けた係止穴に該係止棒部材６の落とし込みによって子扉体３を固定するフランス落としであり、係止棒部材６は、先端部に断面Ｌ字形状の切欠部６３が形成され、前記切欠部６３の面は、係止棒部材６の長手方向に平行な第１の面Ｘと、係止棒部材６の長手方向に直角な第２の面Ｙとを有し、係止穴は、子扉体３の内壁面３１と平行な第３の面７１を有し、係止穴に係止棒部材６の落とし込みによって、第１の面Ｘを係止穴内に位置させ、係止棒部材６を回動させて、係止棒部材６の断面円の外周を係止穴の内壁３１に当接させて、子扉体３を係止穴の側へ移動させ、子扉体３に設けたパッキンＰを開口部１の縁部に押し当て、パッキンＰをつぶし変形させて子扉体３を開口部１の縁部に密着させる。【選択図】図４【図１】
0006807624.tif 000002
【図２】
0006807624.tif 000003
【図３】
0006807624.tif 000004
【図４】
0006807624.tif 000005
【図５】
0006807624.tif 000006
【図６】
0006807624.tif 000007
【図７】
0006807624.tif 000008
【図８】
0006807624.tif 000009
【図９】
0006807624.tif 000010
【図１０】
0006807624.tif 000011
【図１１】
0006807624.tif 000012
【図１２】
0006807624.tif 000013
【図１３】
0006807624.tif 000014
【図１４】
0006807624.tif 000015
【図１５】
0006807624.tif 000016